(57)【要約】通信デバイスにおいて１組のＣＯＤＥＣの中からＣＯＤＥＣの利用可能性の選択を容易にするための装置と、関連する方法とが提供される。バッテリー電力測定器は、ＣＯＤＥＣが一部分を形成する通信デバイスに電力供給するバッテリー電源の蓄積されたエネルギーレベルを測定する。セレクターは、測定された電力レベルに応答して利用可能なＣＯＤＥＣを選択する。測定されたレベルが閾値未満である場合には、高いサンプリングレートのＣＯＤＥＣは、使用に対して少なくとも選択可能に利用不可能にされる。バッテリーレベルが閾値よりも高い場合には、高いサンプリングレートのＣＯＤＥＣが、使用に対して利用可能にされる。レベルが閾値よりも大きい場合には、高いサンプリングレートのＣＯＤＥＣと、低いサンプリングレートのＣＯＤＥＣとの両方が、利用可能である。指示生成器は、セレクターによって行われる選択の指示を生成する。
2011514749.tif 000002
【特許請求の範囲】
【請求項１】
ポータブル電源（２８）によって電力供給される通信局においてＣＯＤＥＣ動作に対するＣＯＤＥＣ選択を容易にするための装置（５６）であって、該装置は、
該通信局において利用可能な１組のＣＯＤＥＣの中から選択するように構成されているセレクター（６２）であって、各ＣＯＤＥＣは、関連するサンプリングレートを有し、該ポータブル電源において蓄積されたエネルギーのレベルに少なくとも部分的に対応して選択が行われる、セレクターと、
該セレクターによって行われる選択の指示を生成するように構成されている指示生成器（６４）と、
該指示生成器によって生成された選択の該指示を受信するように構成されているメッセージ生成実体と
を備えている、装置（５６）。
【請求項２】
前記セレクターは、前記１組の各ＣＯＤＥＣに関連するＣＯＤＥＣサンプリングレートインディシアを受信するようにさらに構成されている、請求項１に記載の装置（５６）。
【請求項３】
前記１組のＣＯＤＥＣは、第一のサンプリングレートで動作するＣＯＤＥＣおよび第二のサンプリングレートで動作可能なＣＯＤＥＣを備え、該第二のサンプリングレート、該第二のサンプリングレートは、該第一のサンプリングレートよりも電力を消費する、請求項１に記載の装置（５６）。
【請求項４】
前記セレクター（６２）は、前記第一のサンプリングレートで動作可能な前記ＣＯＤＥＣと、該第一のサンプリングレートで動作可能な該ＣＯＤＥＣおよび前記第二のサンプリングレートで動作可能な前記ＣＯＤＥＣの両方と、のうちの１つを選択するように構成されている、請求項３に記載の装置（５６）。
【請求項５】
前記ポータブル電源において蓄積されたエネルギーの前記レベルが第一の閾値よりも小さい場合には、前記セレクター（６２）は、前記第一のサンプリングレートで動作可能な前記ＣＯＤＥＣを選択するように構成されている、請求項４に記載の装置（５６）。
【請求項６】
前記ポータブル電源（２８）において蓄積されたエネルギーの前記レベルが第一の閾値よりも大きい場合には、前記セレクター（６２）は、前記第一のサンプリングレートで動作可能な前記ＣＯＤＥＣと、前記第二のサンプリングレートで動作可能な前記ＣＯＤＥＣとの両方を選択するように構成されている、請求項４に記載の装置（５６）。
【請求項７】
前記ポータブル電源（２８）において蓄積されたエネルギーの前記レベルが第一の閾値よりも小さい場合には、前記セレクター（６２）は、ユーザープリファレンスに応答した選択を行うようにさらに構成されている、請求項１に記載の装置（５６）。
【請求項８】
前記指示生成器（６４）によって生成された前記指示は、通信局呼設定情報の組の一部分を形成する、請求項１に記載の装置（５６）。
【請求項９】
前記指示生成器（６４）によって生成された前記指示は、伝達能力情報要素の一部分を形成する、請求項１に記載の装置（５６）。
【請求項１０】
前記指示生成器によって生成された前記指示は、サポートされたＣＯＤＥＣリストを規定する、請求項１に記載の装置（５６）。
【請求項１１】
前記指示生成器（６４）によって生成された前記指示は、第二者のＣＯＤＥＣレートネゴシエーションに従って用いられる、請求項１に記載の装置（５６）。
【請求項１２】
前記セレクター（６２）は、８ｋＨｚのサンプリングレートで動作可能なＣＯＤＥＣと、１６ｋＨｚのサンプリングレートで動作可能なＣＯＤＥＣとのうちの少なくとも１つを選択するように構成されている、請求項１に記載の装置（５６）。
【請求項１３】
ポータブル電源（２８）によって電力供給される通信局におけるＣＯＤＥＣ動作に対するＣＯＤＥＣ選択を容易にする方法であって、該方法は、
通信局において利用可能な１組のＣＯＤＥＣの中から選択すること（１３６）であって、各ＣＯＤＥＣは、関連するサンプリングレートを有し、選択は、該ポータブル電源（２８）において蓄積されたエネルギーのレベルに少なくとも部分的に応答している、ことと、
該選択の指示を生成すること（１４２）と、
該選択の指示をメッセージ生成実体に提供することと
を包含する、方法。
【請求項１４】
前記１組のＣＯＤＥＣは、第一のサンプリングレートで動作するＣＯＤＥＣと、第一のサンプリングレートで動作するＣＯＤＥＣと、第二のサンプリングレートで動作可能なＣＯＤＥＣとを含み、該第二のサンプリングレートは、該第一のサンプリングレートよりも電力を消費する、請求項１３に記載の方法。
【請求項１５】
前記選択すること（１３６）は、前記第一のサンプリングレートで動作可能な前記ＣＯＤＥＣと、該第一のサンプリングレートで動作可能な該ＣＯＤＥＣおよび前記第二のサンプリングレートで動作可能な前記ＣＯＤＥＣの両方と、のうちの１つを選択することを包含する、請求項１４に記載の方法。
【請求項１６】
前記ポータブル電源において蓄積されたエネルギーの前記レベルが第一の閾値よりも小さい場合には、前記選択すること（１３６）は、前記第一のサンプリングレートで動作可能な前記ＣＯＤＥＣを選択することを包含する、請求項１５に記載の方法。
【請求項１７】
前記ポータブル電源の蓄積されたエネルギーの前記レベルが前記第一の閾値よりも大きい場合には、前記選択すること（１３６）は、前記第一のサンプリングレートで動作可能な前記ＣＯＤＥＣと、前記第二のサンプリングレートで動作可能な前記ＣＯＤＥＣとの両方を選択することを包含する、請求項１５に記載の方法。
【請求項１８】
蓄積されたエネルギーの前記レベルが第一の閾値よりも小さい場合には、前記選択すること（１３６）は、ユーザープリファレンスにさらに応答する、請求項１３に記載の方法。
【発明の詳細な説明】
【技術分野】
【０００１】
本開示は、概して、通信デバイス、例えば、１組のＣＯＤＥＣ（ＣＯｄｅｒ−ＤＥＣｏｄｅｒ）を含むバッテリー電源によって電力供給されるモバイル局を動作させる態様に関する。より具体的には、本開示は、通信サービスの性能に従って、１組のＣＯＤＥＣのどの１つのＣＯＤＥＣまたは複数のＣＯＤＥＣを利用可能にするかを選択する装置および関連する方法論に関する。選択は、通信デバイスに電力供給するバッテリー電源において利用可能な蓄積されたエネルギーのレベルに依存する。
【０００２】
バッテリー電源が選択されたレベルを超えて消耗した場合には、高いサンプリングレート、すなわち、より高い電力消費のモードにおいて動作するオプションのＣＯＤＥＣの利用可能性は、少なくとも選択可能に除去され、それによって、通信デバイスの動作の間、バッテリー消耗のレートの低減を可能にする。
【背景技術】
【０００３】
（発明の背景）
近年、広範で多様な通信システムおよびその中における動作可能な通信デバイスの導入と、商業的な展開とが見られる。多くのさまざまな通信サービスが、通信システムを介して実行されることが可能である。そして、通信技術におけるさらなる進歩が引き続き行われようとしているので、なおさらなる通信サービスを提供するなおさらなる通信システムが、利用可能になろうとしている。
【０００４】
セルラー通信システムは、通信技術における進歩を利用し、重要な部分が、そのような進歩の結果として可能になっている通信システムの例である。連続した世代のセルラー通信システムおよびセルラー通信システムの特徴の一部を示すシステムが、開発され、展開されてきた。より新しい世代のシステムは、概してデジタル通信技術を利用し、しばしばデータ符号化機能を利用する。スピーチデータが通信される場合、すなわち、音声呼が通信サービスを形成する場合には、スピーチ符号化および後続の復号が、しばしば実行される。スピーチ符号化および対応する復号は、ＣＯＤＥＣ（ＣＯｄｅｒ−ＤＥＣｏｄｅｒ）を用いて実行され、ＣＯＤＥＣは、音声データのストリームを符号化された形式に符号化するように動作する。音声データの符号化は、典型的にはデータを圧縮し、データから冗長性を除去する。そして、ＣＯＤＥＣの動作を復号することは、逆の態様で動作し、復号することは、圧縮されたデータのストリームを変換し、圧縮されたストリームを解凍することである。
【発明の概要】
【課題を解決するための手段】
【０００５】
スピーチＣＯＤＥＣの動作特徴は、サンプリングレートである。より高いサンプリングレートで動作するＣＯＤＥＣは、概して、より低いサンプリングレートで動作するＣＯＤＥＣよりも良好な性能を提供する。すなわち、ＣＯＤＥＣが高いサンプリングレートで動作する場合には、いったん受信され、復号された通信された、音声データの音声品質は、概して、ＣＯＤＥＣがより低いサンプリングレートで動作する場合よりも優れている。
【０００６】
さまざまな通信標準が、ＣＯＤＥＣの動作要件を規定する。例えば、スピーチＣＯＤＥＣに関連する３ＧＰＰ（第三世代パートナーシッププロジェクト）動作仕様は、ＡＭＲ（適応マルチレート）ＣＯＤＥＣおよびＡＭＲ−ＷＢ（適応マルチレート広帯域）スピーチＣＯＤＥＣに対する標準パラメーターを規定する。ＡＭＲスピーチＣＯＤＥＣは、８ｋＨｚのサンプリングレートで動作し、ＡＭＲ−ＷＢスピーチＣＯＤＥＣは、１６ｋＨｚのサンプリングレートで動作する。他の動作標準によって規定される他の通信システムにおいて、同様のＣＯＤＥＣ動作パラメーターが同様に規定される。
【０００７】
より高いサンプリングレートで動作するＣＯＤＥＣは、一般的に、改善された音声品質を提供するが、そのようなより高いレートのＣＯＤＥＣは、計算複雑性の増加、すなわち、より高いＣＰＵ負荷を必要とする。例えば、ＣＰＵ負荷がＷＭＯＰＳ（Ｗｅｉｇｈｔｅｄ  Ｍｉｌｌｉｏｎ  Ｏｐｅｒａｔｉｏｎｓ  Ｐｅｒ  Ｓｅｃｏｎｄ）の表現で定量化されるとき、より低いレートのＡＭＲに対して１６．８ＷＭＯＰＳであることに対比して、ＡＭＲ−ＷＢ  ＣＯＤＥＣは、３８．９ＷＭＯＰＳを必要とする。より高いレートのＣＯＤＥＣ動作に対するＣＰＵ負荷は、サンプリングレートが倍増したことに大きく起因して、より低いレートの動作のＣＰＵ負荷よりも１３０％大きくなる。
【０００８】
加えて、より高いレートが、例えば、音響エコーキャンセル、ダイナミックレンジコントローラー、ノイズ抑制およびポストフィルタ処理を含む、通信局のすべての処理アルゴリズムにおいて用いられる場合には、これらの付加的な音響処理アルゴリズムの実行に関連するＣＰＵローディングは、動作に必要とされるＣＰＵ負荷における同様の増加をもたらし得る。
【０００９】
増加した処理要件に起因して、より高いサンプリングレートで動作するＣＯＤＥＣを用いた通信局の動作は、より低いサンプリングレートにおける通信局の動作よりも有意に大きい電力を消費する。バッテリーレベルが低いときに、通信局がより高いサンプリングレートのＣＯＤＥＣを用いて動作する場合には、通信局がより低いサンプリングレートのＣＯＤＥＣを用いて動作する場合よりも、電力の不足に起因して、呼は、突然に終了される可能性が高い。そして、対照的に、より小さい処理要件に起因して、より低いサンプリングレートのＣＯＤＥＣを動作させる場合には、通信局がより長い期間、使用可能であることが可能である。
【００１０】
どのＣＯＤＥＣを用いるか選択するときに、通信局に電力供給するバッテリー電源のレベルを考慮に入れる態様が提供され得る場合には、通信局の改善された動作可能性が可能であり得る。
【００１１】
本開示の有意な改善が発展させたのは、データの符号化および復号に関するこの情報の観点である。
【図面の簡単な説明】
【００１２】
【図１】図１は、本開示の実施形態が動作可能な通信システムの機能ブロック図を例示する。
【図２】図２は、本開示の実施形態を表すメッセージシーケンス図を例示する。
【図３】図３は、本開示の実施形態の動作の方法を表す方法フロー図を例示する。
【発明を実施するための形態】
【００１３】
（詳細な説明）
したがって、本開示は、ＣＯＤＥＣの組のうちのＣＯＤＥＣを選択することが通信サービスに応じた使用に対して利用可能にするように、装置および関連する方法を有利に提供する。選択は、通信デバイスに電力供給するバッテリー電源において利用可能な蓄積されたエネルギーのレベルに依存する。この方法は、実装されたＣＯＤＥＣ内のより高いサンプリングレートのサブセット（より高いサンプリングレートは関連の通信標準に従ってオプションである）が存在する場合に適用され得る。
【００１４】
本開示の実施形態の動作を介して、通信デバイス、例えば、モバイル局を動作させる態様が提供され、この態様は、複数のＣＯＤＥＣのうちの１つのＣＯＤＥＣを利用する。
【００１５】
本開示の一局面において、オプションである高いサンプリングレートのＣＯＤＥＣの利用可能性は、バッテリー電源が選択されたレベルを超えて消耗した場合に、選択可能に制限される。ＣＯＤＥＣの利用可能性を最低のサンプリングレートのみに制限することによって、バッテリー電源の蓄積されたエネルギーが消耗するレートは、代わりに高いサンプリングレートのＣＯＤＥＣが用いられる場合よりも小さい。蓄積されたエネルギーの消耗のレートを低減することによって、話の時間、すなわち、通信局の動作の期間が長くされる。
【００１６】
本開示の別の局面において、通信デバイスに電力供給するバッテリー電源において、蓄積されているか、または別様に利用可能な電力のレベルについて、測定が行われる。測定された蓄積されているエネルギーの指示が形成され、指示は、どのＣＯＤＥＣが使用のために利用可能にされるかの決定において用いられる。
【００１７】
本開示の別の局面において、第一のＣＯＤＥＣが第一のサンプリングレートにおいて動作可能であり、少なくとも第二のＣＯＤＥＣが、少なくとも第二のサンプリングレートにおいて動作可能である。一実装において、ＣＯＤＥＣは、例えば、３ＧＰＰ（第三世代パートナーシッププロジェクト）に全般的に適合して動作可能なモバイル局の一部分を形成し、ＡＭＲスピーチＣＯＤＥＣおよびＡＭＲ−ＷＢスピーチＣＯＤＥＣが規定される。ＡＭＲ  ＣＯＤＥＣは、８ｋＨｚのサンプリングレートスピーチＣＯＤＥＣを含み、ＡＭＲ−ＷＢスピーチＣＯＤＥＣは、１６ｋＨｚのサンプリングレートのスピーチＣＯＤＥＣを含む。通信デバイスに電力供給するポータブル電源において残っている蓄積されたエネルギーのレベルは、ＡＭＲ  ＣＯＤＥＣが利用可能であるか、またたは、ＡＭＲ  ＣＯＤＥＣおよびＡＭＲ−ＷＢ  ＣＯＤＥＣの両方が利用可能であるかについて決定力がある。別の実装において、より大きい数のＣＯＤＥＣが利用可能となる可能性がある。
【００１８】
本開示の別の局面において、複数のＣＯＤＥＣのうちのどれが利用可能にされるかについての選択が行われる。ポータブル電源の蓄積されたエネルギーレベルが所定の閾値（固定の閾値または選択された閾値）未満に消耗した場合には、より低いサンプリングレートのＣＯＤＥＣのみの動作を可能にするように、選択が行われる。そして、バッテリー供給の蓄積されたエネルギーレベルが閾値（選択された閾値または固定の閾値）よりも大きい場合には、より低いサンプリングレートのＣＯＤＥＣおよびより高いサンプリングレートのＣＯＤＥＣの両方が、利用可能にされる。
【００１９】
本開示の別の局面において、ポータブル電源の蓄積されたエネルギーレベルが閾値レベル未満である場合には、通信デバイスのユーザーに指示が提供され、ユーザーは、より高いサンプリングレートのＣＯＤＥＣが利用可能にされるか、または動作の利用可能性をより低いサンプリングレートのＣＯＤＥＣに制限するか、を選択する機会を提供される。あるいは、ユーザーは、例えば、通信デバイス構成に従って、バッテリーレベルが閾値未満であるように決定される場合には、デフォルト選択を選択する。ユーザーのデフォルト選択は、このシナリオにおいて、バッテリー電源の蓄積されたエネルギーレベルが閾値未満であるように決定される場合には、可能にされる１つまたは複数のＣＯＤＥＣについて決定力がある。デフォルト選択がより高いサンプリングレートのＣＯＤＥＣが利用可能にされることと、これに応じるより良い音声品質を可能にする場合には、より高いサンプリングレートのＣＯＤＥＣは、より高い動作レートに関連するより大きいバッテリー消耗レートにもかかわらず利用可能にされるように選択される。そして、逆に、蓄積されたバッテリー消耗が閾値を超えた場合に、ＣＯＤＥＣの利用可能性をより低いサンプリングレートのＣＯＤＥＣに制限するようにデフォルト選択が行われる場合には、ＣＯＤＥＣの利用可能性は、より低いサンプリングレートのＣＯＤＥＣに制限される。
【００２０】
本開示の別の局面において、行われる選択の指示は、遠隔の場所に送られるべき、通信デバイスによって生成されたメッセージの中に含まれる。指示は、１つのＣＯＤＥＣまたは複数のＣＯＤＥＣのどちらが動作するように利用可能であるかを識別する。ＧＥＲＡＮ（Ｇｅｎｅｒｉｃ  Ｒａｄｉｏ  Ａｃｃｅｓｓ  Ｎｅｔｗｏｒｋ）における指示は、伝達能力情報要素に含まれる。ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ)において、指示は、サポートされたＣＯＤＥＣリストに１つ以上の入力を形成する。そして、通信デバイスがＳＩＰ（セッション確立プロトコル）デバイスを形成する場合には、指示は、ＣＯＤＥＣネゴシエーション手順に従って用いられる。
【００２１】
本開示の別の局面において、ネットワーク装置は、ポータブル通信デバイスにおける複数のＣＯＤＥＣの利用可能性のうちの１つの利用可能なＣＯＤＥＣの指示を含むメッセージを検出するために提供される。メッセージは、バッテリー電源が閾値未満に消耗した場合には、ＣＯＤＥＣがより低いサンプリングレートのＣＯＤＥＣのみであるべきことを示す。そして、許容可能なレベルの蓄積されたエネルギーを有するバッテリー電源に起因して、またはユーザーの選択に基づいて、より高いサンプリングレートのＣＯＤＥＣが許される場合には、メッセージは、より高いサンプリングレートにおいて動作可能なＣＯＤＥＣを用いる通信デバイスにおける利用可能性を示す。
【００２２】
それゆえ、これらまたは他の局面において、ポータブル電源によって電力を提供される通信局においてＣＯＤＥＣ動作に対するＣＯＤＥＣ選択を容易にするために、装置および関連する方法が提供される。セレクターは、通信局において利用可能な１組のＣＯＤＥＣの中から選択するように構成される。１組のＣＯＤＥＣの各ＣＯＤＥＣは、関連するサンプリングレートを有する。選択は、ポータブル電源において蓄積されたエネルギーのレベルに少なくとも部分的に対応して行われる。指示生成器は、セレクターによって行われた選択の指示を生成するように構成される。
【００２３】
それゆえ、最初に図１を参照すると、概して１０において示される無線通信システムが、１組の通信デバイス間の通信を提供する。例示的な実装において、通信システム１０は、無線通信システム、例えば、第三世代パートナーシッププロジェクト（３ＧＰＰ）動作仕様に述べられた動作プロトコルに全般的に適合して動作可能なセルラー通信システムを形成する。他の実装において、通信システムは、他の動作標準および他の通信技術に適合して動作可能である。
【００２４】
ここで、通信システム１０は、モバイル局１２が表しているモバイル局を含み、モバイル局は、通信ネットワーク１４と通信するか、または通信ネットワーク１４を介して通信する。モバイル局と通信ネットワークとの間で行われる通信は、無線エアインターフェース１８を介し、ここで３ＧＰＰ動作仕様に適合して規定される。通信デバイス１２は、ここでユーザー機器（ＵＥ）としてさまざまに呼ばれ、モバイル局は、典型的には比較的小さい寸法および比較的小さい重量であり、モバイル局のユーザーによる容易な運搬を可能にする。ＵＥは、例えば、ユーザーのシャツポケットの中のような、手による運搬および格納を可能にする一定の寸法である。ＵＥは、送信部分２２および受信部分２４を有する無線トランシーバーを形成する。トランシーバー回路の送信部分および受信部分は、ポータブル電源２８、すなわち１つ以上のバッテリーセルで形成されるバッテリー供給によって電力供給される。ポータブル電源は、トランシーバー回路に電源において蓄積されたエネルギーを電力供給する。動作の間、電源の蓄積されたエネルギーは消耗し、電源の交換のために再充電することを必要とする。
【００２５】
ここで送信部分２２は、音響トランスデューサー３２、ＣＯＤＥＣ３６の符号器部分３４および付加的なベースバンド、中間周波数ならびに無線周波数（ＢＢ／ＩＦ／ＲＦ）要素３８を含むように示される。そして、ＵＥの受信部分は、中間周波数および付加的なベースバンド周波数（ＢＢ／ＩＦ／ＲＦ）要素４４ならびにＣＯＤＥＣ３６の復号器部分４６を含むように示される。出力トランスデューサーを表しているスピーカー５２もまた、受信部分の受信チェーンにおいて示される。
【００２６】
ＣＯＤＥＣ３６は、選択されたＣＯＤＥＣであり、１組のＣＯＤＥＣから選択され、各々は、特定のサンプリングレートで動作する。例示的な実装において、ＣＯＤＥＣ機能がＣＯＤＥＣアルゴリズムの動作を引き起こすことによって行われる場合、単一のＣＯＤＥＣ機能要素が図１に示される。あるいは、複数のＣＯＤＥＣ機能要素が並列に位置決め可能であり、複数のＣＯＤＥＣ要素のうちの１つの選択されたＣＯＤＥＣ要素は、動作可能な送受信チェーンの一部分を形成するようにされる。例示的な実装において、ＣＯＤＥＣは、ＡＭＲ  ＣＯＤＥＣまたはＡＭＲ−ＷＢスピーチＣＯＤＥＣを形成する。上記のように、より高いサンプリングレートのＣＯＤＥＣの動作は、概して、より低いサンプリングレートのＣＯＤＥＣよりも良い音声品質の通信を提供する。しかし、より高いレートのＣＯＤＥＣの動作は、より多い処理電力を必要とし、より多いエネルギーを消費する。ＵＥがバッテリー電源によって電力供給されるので、ＣＯＤＥＣを動作させるために必要とされるエネルギーは、バッテリー電源において蓄積されたエネルギーの消耗のレートについて、部分的に決定力がある。通信サービスが開始されたとき、電源の蓄積されたエネルギーが限界に近い、すなわち、すでに低い場合には、より高いサンプリングレートのＣＯＤＥＣの動作は、モバイル局がもはや許容可能に電力供給され得ない程の蓄積されたエネルギーの消耗に起因して、突然の呼の失敗をもたらし得る。
【００２７】
本開示の実施形態に従って、ＵＥは、装置５６をさらに含み、装置５６は、ＣＯＤＥＣ３６の選択を容易にするように動作する。選択は、少なくとも部分的に、ポータブル電源２８において蓄積されたエネルギーのレベルに依存して行われる。装置５６の要素は、機能的に表され、任意の所望の態様で、例えば、処理回路によって実行可能なアルゴリズムによることも含めて、実装可能である。ここで、装置は、バッテリー電力レベル測定器５８、セレクター６２および指示（ｉｎｄｉｃａｔｏｒ）生成器６４を含むように示される。装置５６の要素は、送受信部分から分離して示されるが、一実装において、部分的にまたは全体が、モバイル局のトランシーバー回路にある。
【００２８】
動作の間、バッテリー電力レベル測定器５８は、ポータブル電源のバッテリーセルの蓄積された電力レベルを測定する。測定器によって行われる測定は、ポータブル電源の蓄積された電力容量を示し、測定の指示は、セレクター６２に提供される。セレクターはまた、ここでライン６８を介して表され、モバイル局において利用可能なＣＯＤＥＣの指示も受信するように構成される。セレクターはまた、複数のＣＯＤＥＣのうちのどの１つまたはどの２つ以上が利用可能であるかを選択するようにも動作する。選択された１つ以上は、モバイル局において利用可能な１つのＣＯＤＥＣまたは複数のＣＯＤＥＣを規定する。例示的な実装において、セレクターによって行われる選択は、測定器５８によって測定されたバッテリー電力レベルの選択された指示に応答しているか、または別様にセレクターに提供される。測定されたバッテリー電力レベルが、消耗したバッテリー電源、最小閾値レベル未満に消耗したことを示す場合には、セレクターは、ＣＯＤＥＣの利用可能な動作レートとして、より低いサンプリングレートのみを選択する。そして、逆に、バッテリー電源の蓄積されたエネルギーレベルが、閾値よりも大きいことが示される場合には、セレクターは、利用可能な動作レートとして、より低い動作レートとより高い動作レートとの両方を選択する。そして、ＣＯＤＥＣは、より低い動作レートとより高い動作レートとのうちの任意の動作レートで動作することが可能にされる。つまり、例示的な実装において、セレクターは、利用可能なＣＯＤＥＣが、１）ＡＭＲ  ＣＯＤＥＣあるいは２）ＡＭＲ  ＣＯＤＥＣまたはＡＭＲ−ＷＢ  ＣＯＤＥＣのいずれかであるか否かを選択する。他の実装において、他の能力のＣＯＤＥＣが利用される。例えば、３つのＣＯＤＥＣが利用可能である場合には、同様の選択がセレクターによって提供される。あるいは、サンプルレート能力の複数の組み合わせが、例えば、複数の閾値の使用によって利用可能にされる。
【００２９】
利用可能なＣＯＤＥＣのセレクターによって行われる選択は、指示生成器６４に提供される。指示生成器は、選択された利用可能性を表す指示を形成する。指示は、送信部分２２のメッセージ生成実体に提供される。例えば、モバイル局がＧＥＲＡＮ（Ｇｅｎｅｒｉｃ  Ｒａｄｉｏ  Ａｃｃｅｓｓ  Ｎｅｔｗｏｒｋ）適合である場合には、メッセージ生成実体は、伝達能力情報要素を形成し、指示は、伝達能力情報要素の一部分を形成する。モバイル局がＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）適合である場合には、メッセージ生成実体は、サポートされたＣＯＤＥＣリストを形成し、生成器６４によって生成された指示は、リストの一部分を形成する。そして、例えば、ＳＩＰ（セッション確立プロトコル）セッションに従って利用される場合には、指示は、ＣＯＤＥＣネゴシエーション手順に従って用いられる。
【００３０】
ブロック８２によって示されるさらなる装置が、ネットワーク部分１４において、ここではベーストランシーバー局（ＢＴＳ）８４において実施される。装置は、検出器８８を含み、検出器８８は、ＵＥのメッセージ生成実体によって生成されたメッセージのネットワークへの送達を検出する。そして、検出された指示は、動作実体９２に提供され、動作実体９２は、検出された指示を利用する。実体は、例えば、ＣＯＤＥＣサンプリングレートディレクターを形成し、ＣＯＤＥＣサンプリングレートディレクターは、通信されたメッセージにおいて示されたサンプリングレートに適合した後続の通信を指令する。動作実体９２はまた、ネットワークの他の要素を表し、同様に指示を使用する。そして、例示的な動作において、指示生成器６４によって生成された指示は、呼設定フェーズの間にネットワーク部分１４に通信される。呼の確立の前に、呼に従って用いられるＣＯＤＥＣが選ばれる。
【００３１】
図２は、概して１０２において示されるメッセージシーケンス図を例示し、メッセージシーケンス図は、本開示の実施形態の動作を表す。最初に、そしてブロック１０４によって示されるように、ＵＥ１２において開始されるか、またはＵＥに送達されたサービス開始要求に応答してのいずれかで、通信サービスが開始される。そして、ブロック１０６によって示されるように、バッテリーの電力レベルが測定される。次いで、ブロック１０８によって示されるように、利用可能な１つのＣＯＤＥＣまたは複数のＣＯＤＥＣについて選択が行われる。上記のように、例示的な実装において、選択は、ポータブル電源の蓄積されたエネルギーレベルに依存する。セグメント１１２によって示されるメッセージが、生成され、ネットワーク１１４に送られる。ブロック１１６によって示されるメッセージが検出され、検出された指示に応答して、通信システムの通信端点において用いられる選択されたＣＯＤＥＣについて、ブロック１１８によって示される命令が生成される。セグメント１２２によって示される、通信セッションの間に用いられる選択されたＣＯＤＥＣを示す信号が、形成され、モバイル局に送り返される。そして、ブロック１２４によって示されるように、選択されたレートにおいて符号化されたスピーチ符号化データを用いた通信が始まる。
【００３２】
図３は、概して１３４において示される方法フロー図を例示し、方法フロー図は、本開示の実施形態の動作の方法を表す。この方法は、ポータブル電源によって電力供給される通信局において実施されたＣＯＤＥＣの選択を容易にする。
【００３３】
最初に、そしてブロック１３６によって示されるように、１組のＣＯＤＥＣの複数のＣＯＤＥＣから、少なくとも１つのＣＯＤＥＣの選択が行われる。選択は、少なくとも部分的に、ポータブル電源において蓄積されたエネルギーのレベルに応答して行われる。次いで、そしてブロック１４２によって示されるように、選択の指示が生成される。それによって、バッテリー電源において蓄積されたエネルギーを考慮に入れて、ＣＯＤＥＣは選択される。蓄積されたエネルギーが閾値未満である場合には、ＣＯＤＥＣは、より低いサンプリングレートのＣＯＤＥＣのみであることが可能にされる。電力消費のレートは、それに応じて低減され、それによって、バッテリー電源が、ＣＯＤＥＣが一部分を形成する通信デバイスに電力供給し続け得る期間を長くすることを可能にする。
【００３４】
本開示の現在好適な実施形態ならびに本開示の改善点および利点が、ある程度の具体性とともに説明されてきた。説明は本開示を実装する好適な例についてであり、好適な例についての説明は、必ずしも本開示の範囲を制限するようには意図されていない。本開示の範囲は、以下の特許請求の範囲によって規定される。
【図１】
2011514749.tif 000003
【図２】
2011514749.tif 000004
【図３】
2011514749.tif 000005
【国際調査報告】
2011514749.tif 000006
2011514749.tif 000007